(57)【特許請求の範囲】
【請求項１】
雄部材と、第一片部分と第二片部分とを有し両者の間に片先端側から第二片部分の撓みにより雄部材の一部を受け入れるように構成された雌部材とからなると共に、
この受け入れの終了位置での第二片部分の撓み戻しにより雄部材に形成された被掛合部に掛合される掛合部が第一片部分に形成されており、
前記雄部材及び雌部材の双方又はいずれか一方に、帯状体又は紐状体への取り付け部が備えられていると共に、
緊張時に前記帯状体又は紐状体に加えられる荷重の作用中心軸線上に掛合部が位置されており、
しかも、前記第一片部分に、この第一片部分を受け入れられた雄部材の一部から第二片部分を撓ませながら離れ出させ可能とする操作部が備えられていることを特徴とするバックル。
【請求項２】
雄部材及び雌部材の双方又はいずれか一方に、雄部材の一部の受け入れ方向に沿って形成されてこの受け入れ時に雄部材の一部を案内するガイド部が形成されていることを特徴とする請求項１に記載のバックル。
【請求項３】
雄部材の一部の雌部材への受け入れ時に、雄部材及び雌部材の双方又はいずれか一方の側に形成された傾斜部により雌部材の第二片部分が徐々に撓むようになっていることを特徴とする請求項１又は請求項２に記載のバックル。
【請求項４】
雌部材の第二片部分に、穴部が形成されており、この穴部を挟んだ両側が第二片部分の片基部となっていることを特徴とする請求項１〜請求項３のいずれか１項に記載のバックル。
【発明の詳細な説明】
【技術分野】
【０００１】
この発明は、雄部材と雌部材とからなり、雌部材に雄部材の一部を受け入れさせることにより、両部材を掛合させて、例えば、雄部材に取り付けられた帯状体と雌部材に取り付けられた帯状体とを接続させるように用いられるバックルの改良に関する。
【背景技術】
【０００２】
扁平の筒状に構成されると共に、幅広の面部の一方に先端内側に掛合手段を備えた弾性板状部をこの面部に一対のスリットを形成させることで備えてなるバックル雌具と、このバックル雌具内に前記弾性板状部を撓ませながら入れ込まれる差し込み部に前記掛合手段に対応した掛合手段を備えてなすバックル雄具とからなるバックルがある。（特許文献１参照）
【０００３】
しかるに、かかるバックルにあっては、バックル雌具とバックル雄具との掛合操作時に撓む前記弾性板状部に掛合手段の一方が備えられていることから、両者の接続状態を強固にするためにはこの弾性板状部の剛性を高める必要があるが、そうすると前記掛合操作時に弾性板状部は撓み難くなり、この操作を行い難くさせてしまう。また、バックルの表側になるバックル雌具の幅広の面部の一方にスリットを形成させる必要があり、したがってまた、バックルの表側にマークなどを刻設などする箇所を広く確保し難かった。
【特許文献１】特開２０００−１１６４１３号公報
【発明の開示】
【発明が解決しようとする課題】
【０００４】
この発明が解決しようとする主たる問題点は、この種のバックルにおいて、雄部材と雌部材との接続操作をし易いようにしながら、この操作後の接続状態をできるだけ強固なものにする点にある。
【課題を解決するための手段】
【０００５】
前記課題を達成するために、この発明にあっては、バックルを、雄部材と、第一片部分と第二片部分とを有し両者の間に片先端側から第二片部分の撓みにより雄部材の一部を受け入れるように構成された雌部材とからなると共に、
この受け入れの終了位置での第二片部分の撓み戻しにより雄部材に形成された被掛合部に掛合される掛合部が第一片部分に形成されているものとした。
【０００６】
雌部材の第一片部分と第二片部分との間への雄部材の一部としての差し込み部の受け入れは第二片部分の撓みにより許容され、この受け入れの終了位置における撓み戻しによる掛合部と被掛合部との掛合により雌部材と雄部材とは接続される。雄部材の一部の雌部材への受け入れ時に、雄部材及び雌部材の双方又はいずれか一方の側に形成された傾斜部により雌部材の第二片部分が徐々に撓むようにしておけば、この受け入れをスムースになさしめることができる。前記受け入れは第二片部分の撓みにより許容され、掛合部はこのように撓まない第一片部分に備えられていることから、前記受け入れに必要な挿入力を小さくさせるように第二片部分を撓みやすく構成させておいても、両部材の接続状態は、雌部材内から雄部材を抜け出させる向きの力（抜去力）の作用の有無にかかわらず、強固かつ安定的である。この接続状態から、第一片部分を受け入れられた雄部材の一部から離れ出させる向きに向けて操作させると、この第一片部分は前記のように撓まないことから、第二片部分が雄部材を介して第一片部分から離れる向きに撓まされ、これにより第一片部分と第二片部分との間を雄部材の一部の前記受け入れ時と同様に広げて掛合部と被掛合部との掛合を解くことができる。これにより、両部材の接続を解除することができる。前記第一片部分に、この第一片部分を受け入れられた雄部材の一部から第二片部分を撓ませながら離れ出させ可能とする操作部を備えさせておけば、この解除を容易に行うことができる。前記雌部材の第二片部分に穴部を形成させてこの穴部を挟んだ両側を第二片部分の片基部とさせておけば、この第二片部分の前記撓みを生じさせ易くすることができる。
【０００７】
前記雄部材及び雌部材の双方又はいずれか一方に、帯状体又は紐状体への取り付け部を備えさせておくと共に、緊張時に前記帯状体又は紐状体に加えられる荷重の作用中心軸線上に前記掛合部を位置させておけば、バックルを介して二本の帯状体などを接続し、あるいは一本の帯状体などの端末同士を接続できると共に、こうした緊張時に一層強固に掛合部を被掛合部に掛合させることができ。
【０００８】
前記雄部材及び雌部材の双方又はいずれか一方に、雄部材の一部の受け入れ方向に沿って形成されてこの受け入れ時に雄部材の一部を案内するガイド部を形成させておけば、雄部材の一部の雌部材への受け入れにより前記掛合部を被掛合部に確実に掛合させるようにすることができる。
【発明の効果】
【０００９】
この発明にかかるバックルにあっては、雄部材と雌部材との接続をし易いように第二片部分を撓み易く構成させながら、接続状態をできるだけ強固なものとすることができる。また、第一片部分をバックルの表側としてバックルにスッキリとした外観性を付与することができ、また、バックルの表側にマークなどの表示箇所を十分に確保させることができる。
【発明を実施するための最良の形態】
【００１０】
以下、図１〜図２０に基づいて、この発明を実施するための最良の形態について説明する。
【００１１】
なお、ここで図１および図２はこの発明を適用して構成されたバックルによって帯状体Ｗを留め付け合わせた様子を、図２および図４はかかるバックルを構成する雄部材１と雌部材２とを分離させた状態を、図５〜図９は両部材１、２を掛合させた状態を、図１０〜図１５は前記雌部材２を、図１６〜図２０は前記雄部材１を、それぞれ表している。
【００１２】
この実施の形態にかかるバックルは、雄部材１と雌部材２とからなり、雌部材２に雄部材１の一部を受け入れさせることにより、両部材１、２を掛合させて、例えば、雄部材１に取り付けられた帯状体Ｗと雌部材２に取り付けられた帯状体Ｗとを接続させるように用いられるものである。
【００１３】
この実施の形態にあっては、雄部材１は、雌部材２に受け入れられる一部となる差し込み部１０と、帯状体Ｗ又は紐状体への取り付け部１１とを備えている。
【００１４】
図示の例では、雄部材１は、板状基体１２の裏面１２ａ側において、この板状基体１２における雌部材２への差し込み方向ｘ（図３、図４）に沿った一対の辺部にそれぞれこの辺部に沿って形成されたリブ状部１３を備えていると共に、このように備えられた一対のリブ状部１３、１３間にこのリブ状部の長さ方向略中程の位置において架設されるように形成された前記差し込み方向ｘに直交する向き続く区分骨部１４を備えている。（図１７）
【００１５】
図示の例では、板状基体１２におけるかかる区分骨部１４よりも前記差し込みの手前側に位置される箇所が前記取り付け部１１として機能し、この区分骨部１４よりも前記差し込みの先側に位置される箇所が前記差し込み部１０として機能するようになっている。
【００１６】
取り付け部１１においては、前記差し込み方向ｘに直交する向きに続くスロット１１ａが、前記一対のリブ状部１３、１３間に亘り、かつ、スロット１１ａの長さ方向に沿った一方の穴縁部を前記区分骨部１４とするようにして、形成されている。この例では、かかるスロット１１ａに帯状体Ｗを通してこの帯状体Ｗに雄部材１を取り付けることができるようになっている。
【００１７】
また、差し込み部１０においては、前記差し込み方向ｘに直交する向きに続くスロット１０ａが、このスロット１０ａの一端と一対のリブ状部１３、１３の一方との間と、このスロット１０ａの他端と一対のリブ状部１３、１３の他方との間とにそれぞれ等しい間隔を開けるようにして、形成されている。かかる差し込み部１０のスロット１０ａもその長さ方向に沿った一方の穴縁部を前記区分骨部１４とするようにして、形成されている。この例では、雌部材２に雄部材１を受け入れきらせた位置でかかるスロットに雌部材２の後述する掛合部２０ｃが入り込んで掛合されるようになっており、かかるスロット１０ａの長さ方向に沿った他方の穴縁部が被掛合部１０ｂとして機能するようになっている。
【００１８】
図示の例では、雄部材１の差し込み部１０には、被掛合部１０ｂを形成させるスロット１０ａの長さと略同じ幅を備えると共に差し込み部１０の先端側において開放されてこのスロット１０ａの側に続く割欠き部１０ｃが、このスロット１０ａとの間に架橋部１０ｄを形成させるようにして形成されている。この架橋部１０ｄには、板状基体１２の表面１２ｂ側において、被掛合部１０ｂに近づくに連れて次第にこの架橋部１０ｄを厚くする向きに傾斜した傾斜部１０ｅが形成されている。そして、雄部材１の一部の雌部材２への受け入れ時に、この傾斜部１０ｅに雌部材２の掛合部２０ｃが接して後述する雌部材２の第二片部分２１が徐々に撓むようになっている。また、かかる差し込み部１０には、板状基体１２の裏面１２ａ側において、被掛合部１０ｂを形成させるスロット１０ａの両端とリブ状部１３との間に、前記差し込み方向ｘに沿った凸条１０ｆが形成されており、この凸条１０ｆと板状基体１２の表面１２ｂ側との間の寸法Ｌ１（図２０）が、後述する雌部材２の第一片部分２０と第二片部分２１との間の間隔Ｌ２（図１４）と略等しくなるように構成されている。
【００１９】
また、図示の例では、後述する雌部材２の第二片部分２１の幅は、雄部材１の差し込み部１０の一対のリブ状部１３、１３間の寸法と略等しくなっており、この一対のリブ状部１３、１３間に第二片部分２１を隙間少なく納める位置でのみ雄部材１の差し込み部１０を雌部材２に入れ込み受け入れさせることができるようになっている。すなわち、この例では、この一対のリブ状部１３、１３と雌部材２の第二片部分２１とにより、雄部材１の一部の受け入れ方向、すなわち、前記差し込み方向ｘに沿って形成されてこの受け入れ時に雄部材１の一部を案内するガイド部を形成させている。
【００２０】
一方、雌部材２は、第一片部分２０と第二片部分２１とを有し両者の間に片先端側から第二片部分２１の撓みにより雄部材１の一部、つまり、前記差し込み部１０をその先端側から受け入れるように構成されている。
【００２１】
図示の例では、雌部材２は、板状基体２３の裏面２３ａ側において、この板状基体２３における雄部材１の差し込み方向ｘに沿った一対の辺部にそれぞれこの辺部の後端（雄部材１の差し込み部１０が差し込まれる側と反対の側にある辺部の端）からこの辺部の全長の約三分の一の範囲においてこの辺部に沿って形成されたリブ状部２４を備えていると共に、このように備えられた一対のリブ状部２４、２４の前端間に架設されるように形成された前記差し込み方向ｘに直交する向き続く区分骨部２５を備えている。
【００２２】
図示の例では、かかる板状基体２３における区分骨部２５よりも後方側に位置される箇所が帯状体Ｗ又は紐状体への取り付け部２２として機能し、この区分骨部２５よりも前方に位置される箇所が前記第一片部分２０として機能するようになっている。
【００２３】
取り付け部２２においては、前記差し込み方向ｘに直交する向きに続く第一スロット２２ａが、前記一対のリブ状部２４、２４間に亘り、かつ、第一スロット２２ａの長さ方向に沿った一方の穴縁部を前記区分骨部２５とするようにして、形成されている。また、この第一スロット２２ａよりも後方に前記差し込み方向ｘに直交する向きに続く前記一対のリブ状部２４、２４間に亘る第二スロット２２ｂが形成されている。この例では、かかる第一スロット２２ａと第二スロット２２ｂとの間に形成される桿部分２２ｃに帯状体Ｗを掛け回すように両スロット２２ａ、２２ｂに帯状体Ｗを通してこの帯状体Ｗに雌部材２を取り付けることができるようになっている。（図２）
【００２４】
第二片部分２１は、後辺部２１ａを区分骨部２５に一体に連接させて前方に突き出すと共に、左右両辺部２１ｂ、２１ｂ間の幅を雄部材１の差し込み部１０の一対のリブ状部２４、２４間の間隔と略等しくさせた板状をなすように構成されている。第一片部分２０の片先端となる前辺部２０ａは第二片部分２１の片先端となる前辺部２１ｃよりも前方に位置されている。（図１１）この第二片部分２１の内面２１ｄと、第一片部分２０の内面２０ｂ、すなわち、前記板状基体２３の裏面２３ａとの間には、前記雄部材１の差し込み部１０の前記凸条１０ｆと板状基体１２の表面１２ｂ側との間の寸法Ｌ１と略等しい間隔Ｌ２が形成されている。図示の例では、雄部材１の差し込み部１０の先端が雌部材２の区分骨部２５に突き当たり、かつ、雌部材２の第二片部分２１の前辺部２１ｃが雄部材１の区分骨部１４に突き当たる位置まで、雌部材２の第一片部分２０と第二片部分２１との間に雄部材１の差し込み部１０を入れ込み受け入れさせることができるようになっている。
【００２５】
そして、この実施の形態にあっては、かかる雌部材２に、この受け入れの終了位置での第二片部分２１の撓み戻しにより雄部材１に形成された被掛合部１０ｂに掛合される掛合部２０ｃが第一片部分２０に形成されている。図示の例では、かかる掛合部２０ｃは、第二片部分２１の片先端側の内面２１ｄに向けて第一片部分２０の内面２０ｂから突き出す、雄部材１の差し込み部１０の差し込み方向ｘに直交する向きに続くリブ状の突部として構成されている。この掛合部２０ｃの長さは雄部材１の差し込み部１０のスロット１０ａの長さよりもやや小さく、また、この掛合部２０ｃの先端と第二片部分２１の内面２１との間の間隔Ｌ３（図１４）は雄部材１の差し込み部１０の架橋部１０ｄの最大厚よりも小さくなっている。図示の例では、かかる掛合部２０ｃの前方側であって、その長さ方向略中程の位置にこの掛合部２０ｃと一体に備えられた、斜辺を前方に向けた三角形の板状体２０ｄのこの斜辺によって、雌部材２の側にも傾斜部が形成されている。
【００２６】
そして、この実施の形態にあっては、雌部材２の第一片部分２０は前記板状基体２３の一部から構成されて弾性変形を生じないように構成され、一方、第二片部分２１は第一片部分２０よりも薄く、その片基部２１ｆ側を中心にした弾性変形を生じるように構成されている。図示の例では特に、第二片部分２１には、穴一辺を区分骨部２５に沿わせるようにして設けられた略方形の穴部２１ｅが形成されており、この穴部２１ｅを挟んだ両側が第二片部分２１の片基部２１ｆとなっており、第二片部分２１の前記撓みを生じさせ易くしている。
【００２７】
雌部材２の第一片部分２０と第二片部分２１との間への雄部材１の一部としての差し込み部１０の受け入れは第二片部分２１の撓みにより許容され、この受け入れの終了位置における撓み戻しによる掛合部２０ｃと被掛合部１０ｂとの掛合により雌部材２と雄部材１とは接続される。前記受け入れは第二片部分２１の撓みにより許容され、掛合部２０ｃはこのように撓まない第一片部分２０に備えられていることから、前記受け入れに必要な挿入力を小さくさせるように第二片部分２１を撓みやすく構成させておいても、両部材１、２の接続状態は、雌部材２内から雄部材１を抜け出させる向きの力（抜去力）の作用の有無にかかわらず、強固かつ安定的である。この接続状態から、第一片部分２０を受け入れられた雄部材１の一部から離れ出させる向きに向けて操作させると、具体的には、第一片部分２０の片先端側にこの片先端側を雄部材１の一部から離れ出させる向きの力を作用させると、この第一片部分２０は前記のように撓まないことから、第二片部分２１が雄部材１を介して第一片部分２０から離れる向きに撓まされ、これにより第一片部分２０と第二片部分２１との間を雄部材１の一部の前記受け入れ時と同様に広げて掛合部２０ｃと被掛合部１０ｂとの掛合を解くことができる。これにより、両部材１、２の接続を解除することができる。すなわち、この実施の形態にかかるバックルにあっては、雄部材１と雌部材２との接続をし易いように第二片部分２１を撓み易く構成させながら、接続状態をできるだけ強固なものとすることができる。また、第一片部分２０をバックルの表側としてバックルにスッキリとした外観性を付与することができ、また、バックルの表側にマークなどの表示箇所を十分に確保させることができる。
【００２８】
また、この実施の形態にあっては、雌部材２の第一片部分２０に、この第一片部分２０を受け入れられた雄部材１の一部から第二片部分２１を撓ませながら離れ出させ可能とする操作部２０ｅが備えられている。図示の例では、雌部材２の掛合部２０ｃのやや前方から片先端までの間が、この片先端に向かうに連れて次第に第二片部分２１の内面を含む仮想の平面から離れる向きに傾斜した操作部２０ｅとなっており、この操作部２０ｅの内面と雄部材１の板状基体１２の表面１２ｂとの間に指などを掛ける隙間ｙが両部材１、２の接続状態において形成されるようになっている。（図２）これにより、この例にあっては、両部材１、２の接続を解くための前記第一片部分２０の操作が行いやすくなっている。
【００２９】
また、この実施の形態にあっては、前記のように取り付け部に取り付けられた前記帯状体Ｗ又は紐状体が緊張されたときにこれらにに加えられる荷重の作用中心軸線ｚ上に掛合部２０ｃが位置されるようになっている。（図２）これにより、こうした緊張時に一層強固に掛合部２０ｃを被掛合部１０ｂに掛合させることができるようになっている。
【００３０】
なお、以上に説明した雌部材２における弾性変形特性を付与すべき箇所へのこの特性の付与は、かかる雌部材２をプラスチック材料により構成させることで、容易かつ適切に確保させることができる。
【図面の簡単な説明】
【００３１】
【図１】バックルの使用状態を示した斜視図
【図２】図１におけるＡ−Ａ線断面図
【図３】雌部材２と雄部材１とを分離させた状態の斜視図
【図４】雌部材２と雄部材１とを分離させた状態の斜視図（図３の下側から視た図）
【図５】バックルの正面図
【図６】同背面図
【図７】同側面図
【図８】同側面図（図７の右側から視た図）
【図９】図５におけるＢ−Ｂ線断面図
【図１０】雌部材２の正面図
【図１１】同背面図
【図１２】同側面図
【図１３】同側面図（図１２の右側から視た図）
【図１４】図１０におけるＣ−Ｃ線断面図
【図１５】図１２におけるＤ−Ｄ線断面図
【図１６】雄部材１の正面図
【図１７】同背面図
【図１８】同側面図
【図１９】同側面図（図１８の左側から視た図）
【図２０】図１６におけるＥ−Ｅ線断面図
【符号の説明】
【００３２】
１  雄部材
１０ｂ  被掛合部
２  雌部材
２０  第一片部分
２０ｃ  掛合部
２１  第二片部分
【図１】
0005134437.tif 000002
【図２】
0005134437.tif 000003
【図３】
0005134437.tif 000004
【図４】
0005134437.tif 000005
【図５】
0005134437.tif 000006
【図６】
0005134437.tif 000007
【図７】
0005134437.tif 000008
【図８】
0005134437.tif 000009
【図９】
0005134437.tif 000010
【図１０】
0005134437.tif 000011
【図１１】
0005134437.tif 000012
【図１２】
0005134437.tif 000013
【図１３】
0005134437.tif 000014
【図１４】
0005134437.tif 000015
【図１５】
0005134437.tif 000016
【図１６】
0005134437.tif 000017
【図１７】
0005134437.tif 000018
【図１８】
0005134437.tif 000019
【図１９】
0005134437.tif 000020
【図２０】
0005134437.tif 000021